(57)【要約】【課題】デジタルメディアサーバをネットワーク上から外すことなくコンテンツリストの表示を制限することが可能なデジタルメディアプレーヤ装置を提供する。【解決手段】このテレビジョン装置１０（デジタルメディアプレーヤ装置）は、ＤＬＮＡ対応のレコーダ１〜３に格納されたコンテンツのコンテンツ名の一覧を示すコンテンツリストを、ＤＬＮＡ規格に準拠した通信を行うことにより取得可能な通信部１２と、通信部１２により取得されたコンテンツリストを表示するとともに、コンテンツリスト中の、ユーザにより選択されたコンテンツを再生可能な表示部１３と、表示部１３の表示内容を制御する制御部１１とを備え、コンテンツリストの表示を制限するパスワードを設定可能なように構成されている。【選択図】図５
2011250044.tif 000002
【特許請求の範囲】
【請求項１】
ＤＬＮＡ対応のデジタルメディアサーバに格納されたコンテンツのコンテンツ名の一覧を示すコンテンツリストを、ＤＬＮＡ規格に準拠した通信を行うことにより取得可能な通信部と、
前記通信部により取得された前記コンテンツリストを表示するとともに、前記コンテンツリスト中の、ユーザにより選択されたコンテンツを再生可能な表示部と、
前記表示部の表示内容を制御する制御部とを備え、
前記コンテンツリストの表示を制限するパスワードを設定可能なように構成されている、デジタルメディアプレーヤ装置。
【請求項２】
前記コンテンツリストの表示を制限するパスワードを、複数の前記デジタルメディアサーバ毎に設定可能なように構成されており、
前記制御部は、前記パスワードが設定された前記デジタルメディアサーバの前記コンテンツリスト全体の表示を制限するように構成されている、請求項１に記載のデジタルメディアプレーヤ装置。
【請求項３】
前記コンテンツリストの表示を制限するパスワードを、複数の前記デジタルメディアサーバの各々に対応する前記コンテンツリスト中のコンテンツ毎に設定可能なように構成されており、
前記制御部は、前記パスワードが設定されたコンテンツを含む前記デジタルメディアサーバの前記コンテンツリストのうち、前記パスワードが設定されたコンテンツのコンテンツ名の表示を制限するように構成されている、請求項１に記載のデジタルメディアプレーヤ装置。
【請求項４】
ユーザにより設定された前記コンテンツリストの表示を制限するパスワードを記憶するパスワード記憶部をさらに備え、
前記制御部は、前記コンテンツリストの表示を制限するパスワードがユーザにより設定される場合において、ユーザによるパスワードの入力を受け付ける画面を前記表示部に表示させるとともに、ユーザにより入力されたパスワードを前記パスワード記憶部に記憶させるように構成されている、請求項１〜３のいずれか１項に記載のデジタルメディアプレーヤ。
【請求項５】
前記制御部は、ユーザによりパスワードが設定されている場合において、ユーザにパスワードの入力を要求する画面を前記表示部に表示させるとともに、ユーザにより入力されたパスワードが前記パスワード記憶部に記憶されたパスワードと一致した場合に、前記パスワードにより表示が制限されていた前記コンテンツリストを前記表示部に表示させるように構成されている、請求項４に記載のデジタルメディアプレーヤ装置。
【請求項６】
前記制御部は、前記コンテンツリストの表示を制限するパスワードがデジタルメディアサーバ毎に設定されている場合において、ユーザにより入力されたパスワードが前記パスワード記憶部に記憶された前記パスワードと一致した場合に、前記パスワードが設定されていた前記デジタルメディアサーバの前記コンテンツリスト全体を前記表示部に表示させるように構成されている、請求項５に記載のデジタルメディアプレーヤ装置。
【請求項７】
前記制御部は、前記コンテンツリストの表示を制限するパスワードがコンテンツ毎に設定されている場合において、ユーザにより入力されたパスワードが前記パスワード記憶部に記憶された前記パスワードと一致した場合に、前記パスワードが設定されていたコンテンツを含む前記デジタルメディアサーバの前記コンテンツリストのうち、前記パスワードが設定されていたコンテンツのコンテンツ名を前記表示部に表示させるように構成されている、請求項５に記載のデジタルメディアプレーヤ装置。
【請求項８】
前記デジタルメディアサーバは録画機器により構成されており、前記デジタルメディアプレーヤ装置はテレビジョン装置により構成されている、請求項１〜７のいずれか1項に記載のデジタルメディアプレーヤ装置。
【発明の詳細な説明】
【技術分野】
【０００１】
この発明は、デジタルメディアプレーヤ装置に関し、特に、ＤＬＮＡ対応のデジタルメディアサーバに格納されたコンテンツのコンテンツ名の一覧を示すコンテンツリストを取得可能なデジタルメディアプレーヤ装置に関する。
【背景技術】
【０００２】
従来、ＤＬＮＡ対応のデジタルメディアサーバに格納されたコンテンツのコンテンツ名の一覧を示すコンテンツリストを取得可能なコンテンツアクセスシステム（デジタルメディアプレーヤ装置）が知られている（たとえば、特許文献１参照）。上記特許文献１に記載されたコンテンツアクセスシステムは、デジタルメディアサーバとデジタルメディアプレーヤ装置とを含んでいる。デジタルメディアサーバは、コンテンツを格納しており、コンテンツ名の一覧を示すコンテンツリストをネットワークに公開している。
【先行技術文献】
【特許文献】
【０００３】
【特許文献１】特開２００９−１１８１１２号公報
【発明の概要】
【発明が解決しようとする課題】
【０００４】
しかしながら、上記特許文献１に記載のコンテンツアクセスシステムでは、デジタルメディアサーバに格納されている全てのコンテンツのコンテンツ名の一覧を示すコンテンツリストが公開されるため、コンテンツリスト中に他人に閲覧させたくないコンテンツ名が含まれていても公開されてしまう場合があるという不都合がある。この場合、他人に閲覧させたくないコンテンツ名を有するコンテンツを格納しているデジタルメディアサーバをネットワーク上から外さなければならないという問題点がある。
【０００５】
この発明は、上記のような課題を解決するためになされたものであり、この発明の１つの目的は、デジタルメディアサーバをネットワーク上から外すことなくコンテンツリストの表示を制限することが可能なデジタルメディアプレーヤ装置を提供することである。
【課題を解決するための手段および発明の効果】
【０００６】
この発明の一の局面によるデジタルメディアプレーヤ装置は、ＤＬＮＡ対応のデジタルメディアサーバに格納されたコンテンツのコンテンツ名の一覧を示すコンテンツリストを、ＤＬＮＡ規格に準拠した通信を行うことにより取得可能な通信部と、通信部により取得されたコンテンツリストを表示するとともに、コンテンツリスト中の、ユーザにより選択されたコンテンツを再生可能な表示部と、表示部の表示内容を制御する制御部とを備え、コンテンツリストの表示を制限するパスワードを設定可能なように構成されている。
【０００７】
この一の局面によるデジタルメディアプレーヤ装置では、上記のように、コンテンツリストの表示を制限するパスワードを設定可能なように構成することによって、デジタルメディアプレーヤ装置側でパスワードを設定することができるので、デジタルメディアサーバをネットワーク上から外すことなく、デジタルメディアプレーヤ装置の表示部においてデジタルメディアサーバに格納されたコンテンツリストの表示を制限することができる。
【０００８】
上記一の局面によるデジタルメディアプレーヤ装置において、好ましくは、コンテンツリストの表示を制限するパスワードを、複数のデジタルメディアサーバ毎に設定可能なように構成されており、制御部は、パスワードが設定されたデジタルメディアサーバのコンテンツリスト全体の表示を制限するように構成されている。このように構成すれば、たとえば複数のデジタルメディアサーバがネットワークに接続された場合、デジタルメディアサーバ毎にパスワードを設定することができるので、デジタルメディアプレーヤ装置の表示部においてデジタルメディアサーバ毎のコンテンツリストの表示の制限を容易に行うことができる。
【０００９】
上記一の局面によるデジタルメディアプレーヤ装置において、好ましくは、コンテンツリストの表示を制限するパスワードを、複数のデジタルメディアサーバの各々に対応するコンテンツリスト中のコンテンツ毎に設定可能なように構成されており、制御部は、パスワードが設定されたコンテンツを含むデジタルメディアサーバのコンテンツリストのうち、パスワードが設定されたコンテンツのコンテンツ名の表示を制限するように構成されている。このように構成すれば、コンテンツ毎にパスワードを設定することができるので、デジタルメディアプレーヤ装置の表示部においてコンテンツリスト中のコンテンツ名の表示の制限を容易に行うことができる。
【００１０】
上記一の局面によるデジタルメディアプレーヤ装置において、好ましくは、ユーザにより設定されたコンテンツリストの表示を制限するパスワードを記憶するパスワード記憶部をさらに備え、制御部は、コンテンツリストの表示を制限するパスワードがユーザにより設定される場合において、ユーザによるパスワードの入力を受け付ける画面を表示部に表示させるとともに、ユーザにより入力されたパスワードをパスワード記憶部に記憶させるように構成されている。このように構成すれば、ユーザにより設定されたパスワードをパスワード記憶部に記憶させておくことができるので、デジタルメディアプレーヤ装置側でパスワードの管理を容易に行うことができる。
【００１１】
この場合、好ましくは、制御部は、ユーザによりパスワードが設定されている場合において、ユーザにパスワードの入力を要求する画面を表示部に表示させるとともに、ユーザにより入力されたパスワードがパスワード記憶部に記憶されたパスワードと一致した場合に、パスワードにより表示が制限されていたコンテンツリストを表示部に表示させるように構成されている。このように構成すれば、ユーザにより設定されたコンテンツリストに対応するパスワードと一致するパスワードを入力しない限り、表示が制限されていたコンテンツリストをデジタルメディアプレーヤ装置の表示部に表示させないようにすることができる。
【００１２】
上記パスワードが一致した場合にコンテンツリストを表示部に表示するデジタルメディアプレーヤ装置において、好ましくは、制御部は、コンテンツリストの表示を制限するパスワードがデジタルメディアサーバ毎に設定されている場合において、ユーザにより入力されたパスワードがパスワード記憶部に記憶されたパスワードと一致した場合に、パスワードが設定されていたデジタルメディアサーバのコンテンツリスト全体を表示部に表示させるように構成されている。このように構成すれば、ユーザにより設定されたデジタルメディアサーバに対応するパスワードと一致するパスワードを入力しない限り、パスワードが設定されていたデジタルメディアサーバのコンテンツリスト全体をデジタルメディアプレーヤ装置の表示部に表示させないようにすることができる。
【００１３】
上記パスワードが一致した場合にコンテンツリストを表示部に表示するデジタルメディアプレーヤ装置において、好ましくは、制御部は、コンテンツリストの表示を制限するパスワードがコンテンツ毎に設定されている場合において、ユーザにより入力されたパスワードがパスワード記憶部に記憶されたパスワードと一致した場合に、パスワードが設定されていたコンテンツを含むデジタルメディアサーバのコンテンツリストのうち、パスワードが設定されていたコンテンツのコンテンツ名を表示部に表示させるように構成されている。このように構成すれば、ユーザにより設定されたパスワードと一致するパスワードを入力しない限り、パスワードが設定されていたコンテンツを含むデジタルメディアサーバのコンテンツリストのうち、パスワードが設定されていたコンテンツ名をデジタルメディアプレーヤ装置の表示部に表示させないようにすることができる。
【００１４】
上記一の局面によるデジタルメディアプレーヤ装置において、好ましくは、デジタルメディアサーバは録画機器により構成されており、デジタルメディアプレーヤ装置はテレビジョン装置により構成されている。このように構成すれば、テレビジョン装置側でパスワードを設定することができるので、録画機器をネットワーク上から外すことなく、録画機器に格納されたコンテンツリストの表示を制限することができる。
【図面の簡単な説明】
【００１５】
【図１】本発明の第１実施形態（第２実施形態）によるテレビジョン装置がホームネットワークを介してレコーダに接続されている状態を示した図である。
【図２】本発明の第１実施形態（第２実施形態）によるテレビジョン装置の全体構成を示したブロック図である。
【図３】本発明の第１実施形態によるテレビジョン装置の制御部のパスワード設定時における制御動作を説明するためのフローチャートである。
【図４】本発明の第１実施形態によるテレビジョン装置のパスワード設定画面を示した図である。
【図５】本発明の第１実施形態によるテレビジョン装置の制御部のコンテンツリスト表示時における制御動作を説明するためのフローチャートである。
【図６】本発明の第１実施形態（第２実施形態）によるテレビジョン装置のレコーダ選択画面を示した図である。
【図７】本発明の第１実施形態（第２実施形態）によるテレビジョン装置のパスワード入力画面を示した図である、
【図８】本発明の第１実施形態によるテレビジョン装置のコンテンツリストが表示された画面を示した図である。
【図９】本発明の第２実施形態によるテレビジョン装置の制御部のパスワード設定時における制御動作を説明するためのフローチャートである。
【図１０】本発明の第２実施形態によるテレビジョン装置のパスワード設定画面（レコーダ選択画面）を示した図である。
【図１１】本発明の第２実施形態によるテレビジョン装置のパスワード設定画面（コンテンツ選択画面）を示した図である。
【図１２】本発明の第２実施形態によるテレビジョン装置の制御部のコンテンツリスト表示時における制御動作を説明するためのフローチャートである。
【図１３】本発明の第２実施形態によるテレビジョン装置のコンテンツリストが表示された画面を示した図である。
【発明を実施するための形態】
【００１６】
以下、本発明の実施形態を図面に基づいて説明する。
【００１７】
（第１実施形態）
まず、図１および図２を参照して、本発明の第１実施形態によるテレビジョン装置１０の構成について説明する。
【００１８】
本発明の第１実施形態によるテレビジョン装置１０は、図１に示すように、有線ＬＡＮ、無線ＬＡＮまたはそれらの組み合わせからなるホームネットワークを介してレコーダ１、レコーダ２およびレコーダ３に接続されている。これらの機器はＤＬＮＡ（Ｄｉｇｉｔａｌ  Ｌｉｖｉｎｇ  Ｎｅｔｗｏｒｋ  Ａｌｌｉａｎｃｅ）に対応しており、これらの機器同士でＤＬＮＡ規格に準拠した通信を相互に行うことが可能である。なお、テレビジョン装置１０は、ＤＬＮＡ規格におけるデジタルメディアプレーヤ（ＤＭＰ）として機能し、本発明の「デジタルメディアプレーヤ装置」の一例である。また、レコーダ１、レコーダ２およびレコーダ３は、本発明の「デジタルメディアサーバ」（ＤＭＳ）の一例である。
【００１９】
また、ＤＭＰとしてのテレビジョン装置１０は、図２に示すように、制御部１１と、通信部１２と、表示部１３と、パスワード記憶部１４とを備えている。制御部１１は、通信部１２と、パスワード記憶部１４と、表示部１３とに接続されている。制御部１１は、制御信号を伝送することによって、表示部１３の表示内容の制御などのテレビジョン装置１０の全体の制御を行うように構成されている。通信部１２は、ホームネットワークを介してレコーダ１〜３に接続されており、ＤＭＳとしてのレコーダ１〜３のそれぞれのコンテンツリストを、ＤＬＮＡ規格に準拠した通信（ＵＰｎＰプロトコルによる通信）を行うことにより取得可能に構成されている。なお、コンテンツリストとは、レコーダに格納されたコンテンツのコンテンツ名の一覧を示すデータをいう。通信部１２は制御部１１に接続されており、コンテンツリストなどのデータを通信することが可能なように構成されている。表示部１３は、通信部１２により取得されたコンテンツリストを表示するとともに、コンテンツリスト中の、ユーザにより選択されたコンテンツを表示再生可能に構成されている。
【００２０】
ここで、第１実施形態では、テレビジョン装置１０は、表示部１３におけるコンテンツリストの表示を制限するパスワードを設定可能なように構成されている。具体的には、テレビジョン装置１０は、ホームネットワークに接続される３つのレコーダ１〜３毎にパスワードを設定可能なように構成されており、制御部１１は、パスワードが設定されたレコーダ１〜３のコンテンツリストの表示を制限するように構成されている。また、制御部１１は、パスワードがユーザにより設定される場合、ユーザによるパスワードの入力を受け付ける画面（図４参照）を表示部１３に表示させるとともに、ユーザにより入力されたパスワードをパスワード記憶部１４に記憶させるように構成されている。
【００２１】
また、制御部１１は、レコーダ１〜３にユーザによりパスワードが設定されている場合において、ユーザにパスワードの入力を要求する画面（図７参照）を表示部１３に表示させるように構成されている。また、制御部１１は、ユーザにより入力されたパスワードがパスワード記憶部１４に記憶されたレコーダ１〜３に対応するパスワードと一致した場合に、パスワードにより表示が制限されていたレコーダ１〜３のコンテンツリスト（図８参照）を表示部１３に表示させるように構成されている。
【００２２】
次に、図３および図４を参照して、第１実施形態によるテレビジョン装置１０の、ユーザによりパスワードが設定される場合における制御部１１の制御動作を説明する。
【００２３】
図３に示すように、ユーザによりパスワードが設定される場合においては、まず、ステップＳ１において、図４に示すようなパスワード設定画面１３ａ（レコーダの一覧）がテレビジョン装置１０の表示部１３に表示され、ステップＳ２に進む。なお、パスワード設定画面１３ａには、レコーダ１〜３に、パスワードが設定済か否かの情報も表示される。次に、ステップＳ２において、ユーザによりパスワードの設定の対象となるレコーダが選択されたか否かが判断される。ステップＳ２においては、ユーザによりレコーダが選択されるまでこの判断が繰り返され、ユーザによりレコーダが選択された場合に、ステップＳ３に進む。図４では、ユーザによりレコーダ３が選択されている。
【００２４】
次に、ステップＳ３において、ユーザによるパスワードの入力を受け付けるパスワード受付画面１３ｂが表示され、ステップＳ４に進む。次に、ステップＳ４において、ユーザによりパスワードが入力されたか否かが判断される。ステップＳ４においては、ユーザによりパスワードが入力されるまでこの判断が繰り返され、ユーザによりパスワードが入力された場合に、ステップＳ５に進む。図４では、たとえばユーザにより４桁のパスワードが入力されるとともに、登録ボタンが押される。次に、ステップＳ５において、ユーザにより入力されたレコーダ毎のパスワードがパスワード記憶部１４に記憶される。そして、パスワードを設定するための制御動作を終了する。なお、上記レコーダの選択動作、パスワードの入力動作などは、リモコンなどにより行われる。
【００２５】
次に、図５〜図８を参照して、第１実施形態によるテレビジョン装置１０の表示部１３にコンテンツリストが表示される場合における制御部１１の制御動作を説明する。
【００２６】
図５に示すように、ＤＭＰとしてのテレビジョン装置１０の表示部１３にコンテンツリストを表示する場合においては、まず、ステップＳ１１において、レコーダ選択画面１３ｃ（図６参照）が表示され、ステップＳ１２に進む。次に、ステップＳ１２において、ユーザによりコンテンツリストの表示の対象となるレコーダが選択されたか否かが判断される。ステップＳ１２においては、ユーザによりレコーダが選択されるまでこの判断が繰り返され、ユーザによりレコーダが選択された場合に、ステップＳ１３に進む。図６では、ユーザによりレコーダ３が選択されている。次に、ステップＳ１３において、ユーザにより選択されたレコーダのコンテンツリストの表示がパスワードによって制限されているか否かが判断される。ステップＳ１３において、ユーザにより選択されたレコーダのコンテンツリストの表示がパスワードによって制限されていないと判断された場合には、後述するステップＳ１６に進む。また、ステップＳ１３において、ユーザにより選択されたレコーダのコンテンツリストの表示がパスワードによって制限されていると判断された場合には、ステップＳ１４に進む。
【００２７】
次に、ステップＳ１４において、ユーザに対してパスワードの入力を要求するパスワード入力画面１３ｄ（図７参照）が表示され、ステップＳ１５に進む。次に、ステップＳ１５において、ユーザにより入力されたパスワードが、パスワード記憶部１４に記憶されたパスワードと一致するか否かが判断される。ステップＳ１５において、ユーザにより入力されたパスワードがパスワード記憶部１４に記憶されたパスワードと一致しないと判断された場合には、ステップＳ１４に戻る。また、ステップＳ１５において、ユーザにより入力されたパスワードがパスワード記憶部１４に記憶されたパスワードと一致すると判断された場合には、ステップＳ１６に進む。次に、ステップＳ１６において、ユーザにより選択されたレコーダのコンテンツリストを表示するコンテンツリスト表示画面１３ｅ（図８参照）が表示される。図８では、レコーダ３に格納されている全てのコンテンツであるコンテンツ１〜６のコンテンツ名が表示されている。そして、コンテンツリストを表示するための制御動作を終了する。
【００２８】
なお、ＤＭＰとしてのテレビジョン装置１０によってＤＭＳとしてのレコーダ１〜３のコンテンツを視聴するには、テレビジョン装置１０の表示部１３に表示されたコンテンツリスト表示画面１３ｅにおいて所望のコンテンツを選択すればよい。これにより、ユーザにより選択されたコンテンツが表示部１３において表示再生される。
【００２９】
第１実施形態によるテレビジョン装置１０では、上記のように、コンテンツリストの表示を制限するパスワードを設定可能なように構成している。これにより、ＤＭＰとしてのテレビジョン装置１０側でパスワードを設定することができるので、ＤＭＳとしてのレコーダをネットワーク上から外すことなく、表示部１３においてレコーダに格納されたコンテンツリストの表示を制限することができる。
【００３０】
また、第１実施形態では、上記のように、コンテンツリストの表示を制限するパスワードを、ＤＭＳとしての複数のレコーダ１〜３毎に設定可能なように構成し、制御部１１を、パスワードが設定されたレコーダのコンテンツリスト全体の表示を制限するように構成している。これにより、たとえば複数のレコーダがネットワークに接続された場合、レコーダ毎にパスワードを設定することができるので、表示部１３においてレコーダ毎のコンテンツリストの表示の制限を容易に行うことができる。
【００３１】
また、第１実施形態では、上記のように、ユーザにより設定されたコンテンツリストの表示を制限するパスワードを記憶するパスワード記憶部１４を設け、制御部１１を、コンテンツリストの表示を制限するパスワードがユーザにより設定される場合において、ユーザによるパスワードの入力を受け付ける画面を表示部１３に表示させるとともに、ユーザにより入力されたパスワードをパスワード記憶部１４に記憶させるように構成している。これにより、ユーザにより設定されたパスワードをパスワード記憶部１４に記憶させておくことができるので、テレビジョン装置１０側でパスワードの管理を容易に行うことができる。
【００３２】
また、第１実施形態では、上記のように、制御部１１を、ユーザによりパスワードが設定されている場合において、ユーザにパスワードの入力を要求する画面を表示部１３に表示させるとともに、ユーザにより入力されたパスワードがパスワード記憶部１４に記憶されたパスワードと一致した場合に、パスワードにより表示が制限されていたコンテンツリストを表示部１３に表示させるように構成している。これにより、ユーザにより設定されたコンテンツリストに対応するパスワードと一致するパスワードを入力しない限り、表示が制限されていたコンテンツリストを表示部１３に表示させないようにすることができる。
【００３３】
また、第１実施形態では、上記のように、制御部１１を、コンテンツリストの表示を制限するパスワードがレコーダ毎に設定されている場合において、ユーザにより入力されたパスワードがパスワード記憶部１４に記憶されたパスワードと一致した場合に、パスワードが設定されていたレコーダのコンテンツリスト全体を表示部１３に表示させるように構成している。これにより、ユーザにより設定されたレコーダに対応するパスワードと一致するパスワードを入力しない限り、パスワードが設定されていたレコーダのコンテンツリスト全体を表示部１３に表示させないようにすることができる。
【００３４】
（第２実施形態）
次に、図１および図２を参照して、本発明の第２実施形態によるテレビジョン装置２０の構成について説明する。この第２実施形態では、コンテンツリストの表示を制限するパスワードを３つのレコーダ１〜３毎に設定可能なように構成された第１実施形態と異なり、コンテンツ毎にパスワードが設定される。
【００３５】
第２実施形態によるＤＭＰとしてのテレビジョン装置２０は、コンテンツリストの表示を制限するパスワードをＤＭＳとしての３つのレコーダ１〜３の各々に対応するコンテンツリスト中のコンテンツ毎に設定可能なように構成されている。つまり、制御部１１は、パスワードが設定されたコンテンツを含むレコーダのコンテンツリストのうち、パスワードが設定されたコンテンツのコンテンツ名の、テレビジョン装置２０の表示部１３における表示を制限するように構成されている。また、制御部１１は、ユーザによりコンテンツにパスワードが設定されている場合において、ユーザにパスワードの入力を要求する画面（図７参照）を表示部１３に表示させるとともに、ユーザにより入力されたパスワードがパスワード記憶部１４に記憶されたコンテンツに対応するパスワードと一致した場合に、パスワードが設定されていたコンテンツを含むレコーダのコンテンツリストのうち、パスワードが設定されていたコンテンツのコンテンツ名を表示部１３に表示させるように構成されている。なお、図１および図２に示すように、第２実施形態のその他の構成は、上記した第１実施形態と同様である。
【００３６】
次に、図９〜図１１を参照して、第２実施形態によるテレビジョン装置２０において、ユーザによりパスワードが設定される場合の制御部１１の制御動作について説明する。
【００３７】
第２実施形態では、まず、図９に示すように、ステップＳ２１において、図１０に示すようなパスワード設定画面（レコーダ選択画面）１３ｆがテレビジョン装置２０の表示部１３に表示され、ステップＳ２２に進む。次に、ステップＳ２２において、ユーザによりパスワードの設定の対象となるコンテンツを含むレコーダが選択されたか否かが判断される。ステップＳ２２においては、ユーザによりレコーダが選択されるまでこの判断が繰り返され、ユーザによりレコーダが選択された場合に、ステップＳ２３に進む。図１０では、ユーザによりレコーダ３が選択されている。次に、ステップＳ２３において、図１１に示すようなパスワード設定画面（コンテンツ選択画面）１３ｇがテレビジョン装置２０の表示部１３に表示され、ステップＳ２４に進む。なお、パスワード設定画面（コンテンツ選択画面）１３ｇには、パスワードが設定されていないコンテンツのコンテンツ名が表示される。図１１では、コンテンツ２、３、５および６が表示されている。
【００３８】
次に、ステップＳ２４において、ユーザによりパスワードの設定の対象となるコンテンツが選択されたか否かが判断される。ステップＳ２４においては、ユーザによりコンテンツが選択されるまでこの判断が繰り返され、ユーザによりコンテンツが選択された場合に、ステップＳ２５に進む。図１１では、ユーザによりコンテンツ２が選択されている。次に、ステップＳ２５において、ユーザによるパスワードの入力を受け付けるパスワード受付画面１３ｈが表示され、ステップＳ２６に進む。次に、ステップＳ２６において、ユーザによりパスワードが入力されたか否かが判断される。ステップＳ２６においては、ユーザによりパスワードが入力されるまでこの判断が繰り返され、ユーザによりパスワードが入力された場合に、ステップＳ２７に進む。図１１では、たとえばユーザにより４桁のパスワードが入力されるとともに、登録ボタンが押される。次に、ステップＳ２７において、ユーザにより入力されたコンテンツ毎のパスワードがパスワード記憶部１４に記憶される。そして、パスワードを設定するための制御動作を終了する。  
【００３９】
次に、図６、図７、図１２および図１３を参照して、第２実施形態によるテレビジョン装置２０の表示部１３にコンテンツリストが表示される場合における制御部１１の制御動作を説明する。
【００４０】
第２実施形態では、まず、図１２に示すように、ステップＳ３１において、レコーダ選択画面１３ｃ（図６参照）が表示され、ステップＳ３２に進む。次に、ステップＳ３２において、ユーザによりコンテンツリストの表示の対象となるレコーダ（ＤＭＳ）が選択されたか否かが判断される。ステップＳ３２においては、ユーザによりレコーダが選択されるまでこの判断が繰り返され、ユーザによりレコーダが選択された場合に、ステップＳ３３に進む。図６では、ユーザによりレコーダ３が選択されている。次に、ステップＳ３３において、ユーザにより選択されたレコーダの中に、コンテンツ名の表示がパスワードによって制限されているコンテンツが含まれているか否かが判断される。ステップＳ３３において、ユーザにより選択されたレコーダの中に表示がパスワードによって制限されているコンテンツが含まれていないと判断された場合には、後述するステップＳ３６に進む。また、ステップＳ３３において、ユーザにより選択されたレコーダの中に表示がパスワードによって制限されているコンテンツが含まれていると判断された場合には、ステップＳ３４に進む。
【００４１】
次に、ステップＳ３４において、ユーザに対してパスワードの入力を要求するパスワード入力画面１３ｄ（図７参照）が表示され、ステップＳ３５に進む。次に、ステップＳ３５において、ユーザにより入力されたパスワードが、パスワード記憶部１４に記憶されたパスワードと一致するか否かが判断される。ステップＳ３５において、ユーザにより入力されたパスワードがパスワード記憶部１４に記憶されたパスワードと一致しないと判断された場合には、ステップＳ３４に戻る。また、ステップＳ３５において、ユーザにより入力されたパスワードがパスワード記憶部１４に記憶されたパスワードと一致すると判断された場合には、ステップＳ３６に進む。次に、ステップＳ３６において、ユーザにより選択されたレコーダのコンテンツリストのうち、ユーザにより入力されたパスワードに対応するコンテンツおよびパスワードが設定されていないコンテンツのコンテンツ名からなるコンテンツリストを表示するコンテンツリスト表示画面１３ｉ（図１３参照）が表示される。図１３では、コンテンツ２、３、５および６からなるコンテンツリストが表示されている。そして、コンテンツリストを表示するための制御動作を終了する。
【００４２】
第２実施形態によるテレビジョン装置２０では、上記のように、コンテンツリストの表示を制限するパスワードを、複数のレコーダ１〜３の各々に対応するコンテンツリスト中のコンテンツ毎に設定可能なように構成し、制御部１１を、パスワードが設定されたコンテンツを含むレコーダのコンテンツリストのうち、パスワードが設定されたコンテンツのコンテンツ名の表示を制限するように構成している。これにより、コンテンツ毎にパスワードを設定することができるので、表示部１３においてコンテンツリスト中のコンテンツ名の表示の制限を容易に行うことができる。
【００４３】
また、第２実施形態では、上記のように、制御部１１を、コンテンツリストの表示を制限するパスワードがコンテンツ毎に設定されている場合において、ユーザにより入力されたパスワードがパスワード記憶部１４に記憶されたパスワードと一致した場合に、パスワードが設定されていたコンテンツを含むレコーダのコンテンツリストのうち、パスワードが設定されていたコンテンツのコンテンツ名を表示部１３に表示させるように構成している。これにより、ユーザにより設定されたパスワードと一致するパスワードを入力しない限り、パスワードが設定されていたコンテンツを含むレコーダのコンテンツリストのうち、パスワードが設定されていたコンテンツ名を表示部１３に表示させないようにすることができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記第１および第２実施形態では、ＤＭＰとしてのテレビジョン装置の表示部におけるコンテンツリストの表示を制限するパスワードをレコーダ（ＤＭＰ）毎またはコンテンツ毎に設定可能な構成を示したが、本発明はこれに限らない。本発明では、パスワードをレコーダ毎に設定し、かつコンテンツ毎に設定するような構成としても良い。
【００４６】
また、上記第１および第２実施形態では、テレビジョン装置が３つのレコーダに接続されている例を示したが、本発明はこれに限らない。本発明では、テレビジョン装置が２つ以下のレコーダに接続されていてもよいし、４つ以上のレコーダに接続されていてもよい。
【００４７】
また、上記第１および第２実施形態では、テレビジョン装置がＤＬＮＡ対応のレコーダに接続されている例を示したが、本発明はこれに限らない。本発明では、テレビジョン装置がＤＬＮＡ対応のＮＡＳ（Ｎｅｔｗｏｒｋ  Ａｔｔａｃｈｅｄ  Ｓｔｏｒａｇｅ）に接続されていてもよい。
【００４８】
また、上記第１および第２実施形態では、本発明のデジタルメディアサーバがレコーダであり、本発明のデジタルメディアプレーヤ装置がテレビジョン装置である構成を示したが、本発明はこれに限らない。本発明では、デジタルメディアサーバ（ＤＭＳ）がレコーダ以外の機器であり、デジタルメディアプレーヤ（ＤＭＰ）装置がテレビジョン装置以外の機器であってもよい。
【００４９】
また、上記第１および第２実施形態では、ＤＭＰとしてのテレビジョン装置が１つである例を示したが、本発明はこれに限らない。本発明では、ＤＭＰとしてのテレビジョン装置が複数であってもよい。この場合、複数のテレビジョン装置（ＤＭＰ）毎にパスワードが設定される。
【符号の説明】
【００５０】
１、２、３  レコーダ（デジタルメディアサーバ）
１０（２０）  テレビジョン装置（デジタルメディアプレーヤ装置）
１１  制御部
１２  通信部
１３  表示部
１４  パスワード記憶部
【図１】
2011250044.tif 000003
【図２】
2011250044.tif 000004
【図３】
2011250044.tif 000005
【図４】
2011250044.tif 000006
【図５】
2011250044.tif 000007
【図６】
2011250044.tif 000008
【図７】
2011250044.tif 000009
【図８】
2011250044.tif 000010
【図９】
2011250044.tif 000011
【図１０】
2011250044.tif 000012
【図１１】
2011250044.tif 000013
【図１２】
2011250044.tif 000014
【図１３】
2011250044.tif 000015